(57)【要約】【課題】  予め契約した通信可能な回線接続数に応じて通信することができるグループ加入移動機課金システム、グループ加入移動機課金方法、及びグループ加入移動機課金プログラムを提供する。【解決手段】  同一加入者に属する複数の移動機（１から１０）をグループ化し、加入者が同時に接続することができる移動機の台数（同時接続数）を設定可能とし、課金サーバ１４は同時接続が可能な台数分の料金のみを課金することにより、各加入者が期待するサービスをより加入者の希望に沿った形態で提供することができる。また、加入者に回線の使用料金を請求する課金サーバ１４は、加入者が設定した同時接続可能な台数分の使用料金をユーザに請求するため、ユーザは複数の移動機を保有する加入者の移動機の維持費を軽減することができる。【選択図】  図１
2006197511.tif 000002
【特許請求の範囲】
【請求項１】
複数の移動機と、無線基地局と、前記移動機の発着信を制御する移動通信交換局と、前記複数の移動機の中で同一加入者に属する複数の移動機をグループ化し、前記グループに係る情報を保持するＨＬＲとを有するグループ加入移動機課金システムにおいて、
前記ＨＬＲは、
前記移動機の移動機番号と、前記移動機の発着信に関する発着信情報とを前記加入者ごとに保持する使用状態記憶手段と、
前記グループごとの現在の回線接続数及び前記グループ内の前記移動機が同時に使用できる同時接続数を記憶する回線接続数記憶手段と、
接続数変更要求手段によって前記同時接続数の変更が要求されたとき、前記回線接続数記憶手段に記憶される前記同時接続数を前記移動機から送信された前記同時接続数に更新する更新手段と、
前記更新手段によって前記同時接続数が更新されたとき、前記課金サーバに前記同時接続数が変更された旨を通知する通知手段と、
前記移動通信交換局は、
前記無線基地局から前記移動機の発着信を受信したとき、前記移動機番号から前記移動機が属する前記グループに係る情報を保持する前記ＨＬＲを抽出する第１の抽出手段と、
前記第１の抽出手段によって抽出された前記ＨＬＲが有する前記回線接続数記憶手段から前記移動機が属する前記グループの現在の回線接続数及び前記同時接続数を読み出す第１の読出手段と、
前記第１の読出手段によって読み出された前記回線接続数と前記同時接続数とを比較する第１の比較手段と、
前記第１の読出手段によって読み出された前記回線接続数が前記同時接続数以下のときは、発着信に対して回線を接続する回線接続手段と、
前記第１の読出手段によって読み出された前記回線接続数が前記同時接続数より大きいとき、発着信に対して回線を切断する回線切断手段と、
前記無線基地局から前記移動機の前記同時接続数の変更を要求する接続数変更信号を受信したとき、前記移動機が属する前記グループに係る情報を保持する前記ＨＬＲを抽出する第２の抽出手段と、
前記移動機に前記同時接続数の送信を要求する第１の要求手段と、
前記第２の抽出手段によって抽出された前記ＨＬＲの前記回線接続数記憶手段から前記移動機が属する前記グループの現在の回線接続数を読み出す第２の読出手段と、
前記第２の読出手段によって読み出された前記回線接続数と前記移動機から送信された前記同時接続数とを比較する第２の比較手段と、
前記第２の読出手段によって読み出された前記回線接続数が前記移動機から送信された前記同時接続数以下のときは、前記同時接続数の変更を前記ＨＬＲに要求する前記接続数変更要求手段と、
前記課金サーバは、
前記通知手段から前記同時接続数が更新された旨の通知を受けたとき、前記回線接続数記憶手段から前記同時接続数、及び前記使用状態記憶手段から前記発着信情報を取得する取得手段と、
前記取得手段によって取得した前記同時接続数及び前記発着信情報に応じて前記加入者に請求する回線使用料を決定する決定手段とを有することを特徴とするグループ加入移動機課金システム。
【請求項２】
前記発着新情報は、発着信履歴と、前記各発着信履歴に係る接続の可否を示す情報とを有し、
前記発着新情報に接続が切断された前記発着信履歴が追記され、かつ前記回線接続記憶手段に記憶される前記回線接続数が前記同時接続数以下になったとき、前記ＨＬＲは、接続が切断された前記発着信履歴に係る前記移動機番号を前記移動通信交換局に通知し、
接続が切断された前記発着信履歴に係る前記移動機番号が前記ＨＬＲから通知されたとき、前記ＶＨＲは、前記ＨＬＲから通知された前記移動機番号に対応する前記移動機に回線の使用ができる旨を通知することを特徴とする請求項１記載のグループ加入移動機課金システム。
【請求項３】
前記接続数変更信号を発信した前記移動機に前記無線基地局を介して前記加入者ＩＤ及び前記パスワードの送信を要求する第２の要求手段と、
前記第２の抽出手段によって抽出された前記ＨＬＲが有する前記使用状態記憶手段から前記加入者ＩＤ及び前記パスワードを読み出す第３の読出手段と、
前記移動機から送信された前記加入者ＩＤ及び前記パスワードと、前記第３の読出手段によって読み出された前記加入者ＩＤ及び前記パスワードとが一致するか否かを判断する判断手段とを有し、
前記使用状態記憶手段は、前記加入者を識別する加入者ＩＤと、前記加入者を認証するパスワードとを記憶し、
前記移動機から送信された前記加入者ＩＤ及び前記パスワードと、前記第３の読出手段によって読み出された前記加入者ＩＤ及び前記パスワードとが一致したとき、前記第１の要求手段は、前記移動機に前記同時接続数の送信を要求することを特徴とする請求項１又は２記載のグループ加入移動機課金システム。
【請求項４】
前記移動機から送信された前記加入者ＩＤ及び前記パスワードと、前記第３の読出手段によって読み出された前記加入者ＩＤ及び前記パスワードとが一致しなかったとき、又は前記第２の読出手段によって読み出された前記回線接続数が前記移動機から送信された前記同時接続数より大きいとき、前記同時接続数の変更を拒否する拒否手段を有することを特徴とする請求項３記載のグループ加入移動機課金システム。
【請求項５】
複数の移動機と、無線基地局と、前記移動機の発着信を制御する移動通信交換局と、前記複数の移動機の中で同一加入者に属する複数の移動機をグループ化し、前記グループに係る情報を保持するＨＬＲと、前記ＨＬＲは、前記移動機の移動機番号と、前記移動機の発着信に関する発着信情報とを前記加入者ごとに保持する使用状態記憶手段と、前記グループごとの現在の回線接続数及び前記グループ内の前記移動機が同時に使用できる同時接続数を記憶する回線接続数記憶手段とを有するグループ加入移動機課金システムのグループ加入移動機課金方法において、
前記移動通信交換局は、
前記無線基地局から前記移動機の発着信を受信したとき、前記移動機番号から前記移動機が属する前記グループに係る情報を保持する前記ＨＬＲを抽出する第１の抽出工程と、
前記第１の抽出工程によって抽出された前記ＨＬＲが有する前記回線接続数記憶手段から前記移動機が属する前記グループの現在の回線接続数及び前記同時接続数を読み出す第１の読出工程と、
前記第１の読出工程によって読み出された前記回線接続数と前記同時接続数とを比較する第１の比較工程と、
前記第１の読出工程によって読み出された前記回線接続数が前記同時接続数以下のときは、発着信に対して回線を接続する回線接続工程と、
前記第１の読出工程によって読み出された前記回線接続数が前記同時接続数より大きいとき、発着信に対して回線を切断する回線切断工程と、
前記無線基地局から前記移動機の前記同時接続数の変更を要求する接続数変更信号を受信したとき、前記移動機が属する前記グループに係る情報を保持する前記ＨＬＲを抽出する第２の抽出工程と、
前記移動機に前記同時接続数の送信を要求する第１の要求工程と、
前記第２の抽出工程によって抽出された前記ＨＬＲの前記回線接続数記憶手段から前記移動機が属する前記グループの現在の回線接続数を読み出す第２の読出工程と、
前記第２の読出工程によって読み出された前記回線接続数と前記移動機から送信された前記同時接続数とを比較する第２の比較工程と、
前記第２の読出工程によって読み出された前記回線接続数が前記移動機から送信された前記同時接続数以下のときは、前記同時接続数の変更を前記ＨＬＲに要求する接続数変更要求工程と、
前記ＨＬＲは、
前記接続数変更要求工程によって前記同時接続数の変更が要求されたとき、前記回線接続数記憶手段に記憶される前記同時接続数を前記移動機から送信された前記同時接続数に更新する更新工程と、
前記更新手段によって前記同時接続数が更新されたとき、前記課金サーバに前記同時接続数が変更された旨を通知する通知工程と、
前記課金サーバは、
前記通知工程によって前記同時接続数が更新された旨の通知を受けたとき、前記回線接続数記憶手段から前記同時接続数、及び前記使用状態記憶手段から前記発着信情報を取得する取得工程と、
前記取得工程によって取得した前記同時接続数及び前記発着信情報に応じて前記加入者に請求する回線使用料を決定する決定工程とを有することを特徴とするグループ加入移動機課金方法。
【請求項６】
前記発着新情報は、発着信履歴と、前記各発着信履歴に係る接続の可否を示す情報とを有し、
前記発着新情報に接続が切断された前記発着信履歴が追記され、かつ前記回線接続記憶手段に記憶される前記回線接続数が前記同時接続数以下になったとき、前記ＨＬＲは、接続が切断された前記発着信履歴に係る前記移動機番号を前記移動通信交換局に通知する工程と、
接続が切断された前記発着信履歴に係る前記移動機番号が前記ＨＬＲから通知されたとき、前記ＶＨＲは、前記ＨＬＲから通知された前記移動機番号に対応する前記移動機に回線の使用ができる旨を通知する工程とを有することを特徴とする請求項５記載のグループ加入移動機課金方法。
【請求項７】
前記使用状態記憶手段は、前記加入者を識別する加入者ＩＤと、前記加入者を認証するパスワードとを保持し、
前記接続数変更信号を発信した前記移動機に前記無線基地局を介して前記加入者ＩＤ及び前記パスワードの送信を要求する第２の要求工程と、
前記第２の抽出工程によって抽出された前記ＨＬＲの前記使用状態記憶手段から前記加入者ＩＤ及び前記パスワードを読み出す第３の読出工程と、
前記移動機から送信された前記加入者ＩＤ及び前記パスワードと、前記第３の読出工程によって読み出された前記加入者ＩＤ及び前記パスワードとが一致するか否かを判断する判断工程と、
前記移動機から送信された前記加入者ＩＤ及び前記パスワードと、前記第３の読出工程によって読み出された前記加入者ＩＤ及び前記パスワードとが一致したとき、前記第１の要求工程は、前記移動機に前記同時接続数の送信を要求することを特徴とする請求項５又は６記載のグループ加入移動機課金方法。
【請求項８】
前記移動機から送信された前記加入者ＩＤ及び前記パスワードと、前記第３の読出工程によって読み出された前記加入者ＩＤ及び前記パスワードとが一致しなかったとき、又は前記第２の読出工程によって読み出された前記回線接続数が前記移動機から送信された前記同時接続数より大きいとき、前記同時接続数の変更を拒否する拒否工程を有することを特徴とする請求項７記載のグループ加入移動機課金方法。
【請求項９】
複数の移動機と、無線基地局と、前記移動機の発着信を制御する移動通信交換局と、前記複数の移動機の中で同一加入者に属する複数の移動機をグループ化し、前記グループに係る情報を保持するＨＬＲと、前記ＨＬＲは、前記移動機の移動機番号と、前記移動機の発着信に関する発着信情報とを前記加入者ごとに保持する使用状態記憶手段と、前記グループごとの現在の回線接続数及び前記グループ内の前記移動機が同時に使用できる同時接続数を記憶する回線接続数記憶手段とを有するグループ加入移動機課金システムのグループ加入移動機課金プログラムにおいて、
前記移動通信交換局は、
前記無線基地局から前記移動機の発着信を受信したとき、前記移動機番号から前記移動機が属する前記グループに係る情報を保持する前記ＨＬＲを抽出する第１の抽出処理と、
前記第１の抽出処理によって抽出された前記ＨＬＲが有する前記回線接続数記憶手段から前記移動機が属する前記グループの現在の回線接続数及び前記同時接続数を読み出す第１の読出処理と、
前記第１の読出処理によって読み出された前記回線接続数と前記同時接続数とを比較する第１の比較処理と、
前記第１の読出処理によって読み出された前記回線接続数が前記同時接続数以下のときは、発着信に対して回線を接続する回線接続処理と、
前記第１の読出処理によって読み出された前記回線接続数が前記同時接続数より大きいとき、発着信に対して回線を切断する回線切断処理と、
前記無線基地局から前記移動機の前記同時接続数の変更を要求する接続数変更信号を受信したとき、前記移動機が属する前記グループに係る情報を保持する前記ＨＬＲを抽出する第２の抽出処理と、
前記移動機に前記同時接続数の送信を要求する第１の要求処理と、
前記第２の抽出処理によって抽出された前記ＨＬＲの前記回線接続数記憶手段から前記移動機が属する前記グループの現在の回線接続数を読み出す第２の読出処理と、
前記第２の読出処理によって読み出された前記回線接続数と前記移動機から送信された前記同時接続数とを比較する第２の比較処理と、
前記第２の読出処理によって読み出された前記回線接続数が前記移動機から送信された前記同時接続数以下のときは、前記同時接続数の変更を前記ＨＬＲに要求する接続数変更要求処理と、
前記ＨＬＲは、
前記接続数変更要求処理によって前記同時接続数の変更が要求されたとき、前記回線接続数記憶手段に記憶される前記同時接続数を前記移動機から送信された前記同時接続数に更新する更新処理と、
前記更新処理によって前記同時接続数が更新されたとき、前記課金サーバに前記同時接続数が変更された旨を通知する通知処理と、
前記課金サーバは、
前記通知処理によって前記同時接続数が更新された旨の通知を受けたとき、前記回線接続数記憶手段から前記同時接続数、及び前記使用状態記憶手段から前記発着信情報を取得する取得処理と、
前記取得処理によって取得した前記同時接続数及び前記発着信情報に応じて前記加入者に請求する回線使用料を決定する決定処理とを有することを特徴とするグループ加入移動機課金プログラム。
【請求項１０】
前記発着新情報は、発着信履歴と、前記各発着信履歴に係る接続の可否を示す情報とを有し、
前記発着新情報に接続が切断された前記発着信履歴が追記され、かつ前記回線接続記憶手段に記憶される前記回線接続数が前記同時接続数以下になったとき、前記ＨＬＲは、接続が切断された前記発着信履歴に係る前記移動機番号を前記移動通信交換局に通知する処理と、
接続が切断された前記発着信履歴に係る前記移動機番号が前記ＨＬＲから通知されたとき、前記ＶＨＲは、前記ＨＬＲから通知された前記移動機番号に対応する前記移動機に回線の使用ができる旨を通知する処理とを有することを特徴とする請求項９記載のグループ加入移動機課金プログラム。
【請求項１１】
前記使用状態記憶手段は、前記加入者を識別する加入者ＩＤと、前記加入者を認証するパスワードとを有し、
前記接続数変更信号を発信した前記移動機に前記無線基地局を介して前記加入者ＩＤ及び前記パスワードの送信を要求する第２の要求処理と、
前記第２の抽出処理によって抽出された前記ＨＬＲの前記使用状態記憶手段から前記加入者ＩＤ及び前記パスワードを読み出す第３の読出処理と、
前記移動機から送信された前記加入者ＩＤ及び前記パスワードと、前記第３の読出処理によって読み出された前記加入者ＩＤ及び前記パスワードとが一致するか否かを判断する判断処理と、
前記移動機から送信された前記加入者ＩＤ及び前記パスワードと、前記第３の読出処理によって読み出された前記加入者ＩＤ及び前記パスワードとが一致したとき、前記第１の要求処理は、前記移動機に前記同時接続数の送信を要求することを特徴とする請求項９又は１０記載のグループ加入移動機課金プログラム。
【請求項１２】
前記移動機から送信された前記加入者ＩＤ及び前記パスワードと、前記第３の読出処理によって読み出された前記加入者ＩＤ及び前記パスワードとが一致しなかったとき、又は前記第２の読出処理によって読み出された前記回線接続数が前記移動機から送信された前記同時接続数より大きいとき、前記同時接続数の変更を拒否する拒否処理を有することを特徴とする請求項１１記載のグループ加入移動機課金プログラム。
【発明の詳細な説明】
【技術分野】
【０００１】
本発明は、グループ加入移動機課金システム、グループ加入移動機課金方法、及びグループ加入移動機課金プログラムに関し、特に、予め契約した通信可能な回線接続数に応じて通信することができるグループ加入移動機課金システム、グループ加入移動機課金方法、及びグループ加入移動機課金プログラムに関する。
【背景技術】
【０００２】
従来の携帯電話、ＰＨＳ（Ｐｅｒｓｏｎａｌ  Ｈａｎｄｙｐｈｏｎｅ  Ｓｙｓｔｅｍ）、データ通信用ＰＨＳといった移動機の課金システムとしては、通話やデータ通信といった通信の実績時間と交換局間距離に応じて接続度数が加算され、その加算された接続度数に応じて料金が課金される課金システムが用いられている。また、別の課金システムでは、予め支払った料金に応じて利用可能な接続度数が設定され、その設定された接続度数の範囲内で移動機が利用可能となる課金システムがある。このように予め支払った料金に応じて利用可能な接続度数が設定される課金システムは、移動機ごとに接続度数が設定されるものである。
【０００３】
特許文献１では、移動局を複数単位にグループ化し、グループ化された複数の移動局の現在の回線接続数を記憶手段によってモニタすることにより、グループ化された複数の移動局に発着信が生起されると、制御手段が記憶手段にモニタされている回線接続数に基づいて、上記発着信における回線接続の可否を判定し、グループ化された複数の移動局が同時に接続できる回線数を所定数に規制する自動車電話システムの発着信規制方式が提案されている。
【０００４】
特許文献２では、同一加入者に属する複数の移動機をグループ化し、グループごとに同時通信限度数を規定することによって同一グループに属するグループ加入移動機が同時通信限度数以上の通信を制限することにより、企業などに属する複数の移動機が頻繁に移動通信を行っても他の移動加入者の通信に大きな影響を及ぼすことがなくなり、無線チャネルの利用の均等化を図ることができ、かつ同一加入者に属する複数の移動機のトラヒックを一定限度に抑制することにより、無線チャネルのトラヒック変動を小さくするグループ加入移動通信方式が提案されている。
【特許文献１】特開平７−１８４２５５号公報
【特許文献２】特開平７−３０３２８０号公報
【発明の開示】
【発明が解決しようとする課題】
【０００５】
しかし、上記の発明は以下の問題を有している。
【０００６】
特許文献１記載の自動車電話システムの発着信規制方式においては、グループ化された複数の移動局が同時に接続できる回線数をユーザが必要に応じて増減することができないため、緊急時に同時接続できる回線数が所定数に達している場合、ユーザが該移動機を用いることができない。
【０００７】
特許文献２記載のグループ加入移動通信方式においては、グループごとの同時通信限度数が予め設定されているため、移動機の発着信接続要求を受けたときに、同一グループ内における通信中のグループ加入移動機の数が、同時通信限度数以上のときは接続不可とされ、ユーザは該移動機を用いることができない。
【０００８】
そこで、本発明は、同一加入者に属する複数の移動機をグループ化し、加入者が同時に接続することができる移動機の台数を設定可能とし、管理者は同時接続が可能な台数分の料金のみを課金することにより、各加入者が期待するサービスをより加入者の希望に沿った形態で提供することができるグループ加入移動機課金システム、グループ加入移動機課金方法、及びグループ加入移動機課金プログラムを提供することを目的としている。
【課題を解決するための手段】
【０００９】
請求項１記載の発明は、複数の移動機と、無線基地局と、前記移動機の発着信を制御する移動通信交換局と、前記複数の移動機の中で同一加入者に属する複数の移動機をグループ化し、前記グループに係る情報を保持するＨＬＲとを有するグループ加入移動機課金システムにおいて、前記ＨＬＲは、前記移動機の移動機番号と、前記移動機の発着信に関する発着信情報とを前記加入者ごとに保持する使用状態記憶手段と、前記グループごとの現在の回線接続数及び前記グループ内の前記移動機が同時に使用できる同時接続数を記憶する回線接続数記憶手段と、接続数変更要求手段によって前記同時接続数の変更が要求されたとき、前記回線接続数記憶手段に記憶される前記同時接続数を前記移動機から送信された前記同時接続数に更新する更新手段と、前記更新手段によって前記同時接続数が更新されたとき、前記課金サーバに前記同時接続数が変更された旨を通知する通知手段と、前記移動通信交換局は、前記無線基地局から前記移動機の発着信を受信したとき、前記移動機番号から前記移動機が属する前記グループに係る情報を保持する前記ＨＬＲを抽出する第１の抽出手段と、前記第１の抽出手段によって抽出された前記ＨＬＲが有する前記回線接続数記憶手段から前記移動機が属する前記グループの現在の回線接続数及び前記同時接続数を読み出す第１の読出手段と、前記第１の読出手段によって読み出された前記回線接続数と前記同時接続数とを比較する第１の比較手段と、前記第１の読出手段によって読み出された前記回線接続数が前記同時接続数以下のときは、発着信に対して回線を接続する回線接続手段と、前記第１の読出手段によって読み出された前記回線接続数が前記同時接続数より大きいとき、発着信に対して回線を切断する回線切断手段と、前記無線基地局から前記移動機の前記同時接続数の変更を要求する接続数変更信号を受信したとき、前記移動機が属する前記グループに係る情報を保持する前記ＨＬＲを抽出する第２の抽出手段と、前記移動機に前記同時接続数の送信を要求する第１の要求手段と、前記第２の抽出手段によって抽出された前記ＨＬＲの前記回線接続数記憶手段から前記移動機が属する前記グループの現在の回線接続数を読み出す第２の読出手段と、前記第２の読出手段によって読み出された前記回線接続数と前記移動機から送信された前記同時接続数とを比較する第２の比較手段と、前記第２の読出手段によって読み出された前記回線接続数が前記移動機から送信された前記同時接続数以下のときは、前記同時接続数の変更を前記ＨＬＲに要求する前記接続数変更要求手段と、前記課金サーバは、前記通知手段から前記同時接続数が更新された旨の通知を受けたとき、前記回線接続数記憶手段から前記同時接続数、及び前記使用状態記憶手段から前記発着信情報を取得する取得手段と、前記取得手段によって取得した前記同時接続数及び前記発着信情報に応じて前記加入者に請求する回線使用料を決定する決定手段とを有することを特徴とする。
【００１０】
請求項２記載の発明は、請求項１記載のグループ加入移動機課金システムにおいて、前記発着新情報は、発着信履歴と、前記各発着信履歴に係る接続の可否を示す情報とを有し、前記発着新情報に接続が切断された前記発着信履歴が追記され、かつ前記回線接続記憶手段に記憶される前記回線接続数が前記同時接続数以下になったとき、前記ＨＬＲは、接続が切断された前記発着信履歴に係る前記移動機番号を前記移動通信交換局に通知し、接続が切断された前記発着信履歴に係る前記移動機番号が前記ＨＬＲから通知されたとき、前記ＶＨＲは、前記ＨＬＲから通知された前記移動機番号に対応する前記移動機に回線の使用ができる旨を通知することを特徴とする。
【００１１】
請求項３記載の発明は、請求項１又は２記載のグループ加入移動機課金システムにおいて、前記接続数変更信号を発信した前記移動機に前記無線基地局を介して前記加入者ＩＤ及び前記パスワードの送信を要求する第２の要求手段と、前記第２の抽出手段によって抽出された前記ＨＬＲが有する前記使用状態記憶手段から前記加入者ＩＤ及び前記パスワードを読み出す第３の読出手段と、前記移動機から送信された前記加入者ＩＤ及び前記パスワードと、前記第３の読出手段によって読み出された前記加入者ＩＤ及び前記パスワードとが一致するか否かを判断する判断手段とを有し、前記使用状態記憶手段は、前記加入者を識別する加入者ＩＤと、前記加入者を認証するパスワードとを記憶し、前記移動機から送信された前記加入者ＩＤ及び前記パスワードと、前記第３の読出手段によって読み出された前記加入者ＩＤ及び前記パスワードとが一致したとき、前記第１の要求手段は、前記移動機に前記同時接続数の送信を要求することを特徴とする。
【００１２】
請求項４記載の発明は、請求項３記載のグループ加入移動機課金システムにおいて、前記移動機から送信された前記加入者ＩＤ及び前記パスワードと、前記第３の読出手段によって読み出された前記加入者ＩＤ及び前記パスワードとが一致しなかったとき、又は前記第２の読出手段によって読み出された前記回線接続数が前記移動機から送信された前記同時接続数より大きいとき、前記同時接続数の変更を拒否する拒否手段を有することを特徴とする。
【００１３】
請求項５記載の発明は、複数の移動機と、無線基地局と、前記移動機の発着信を制御する移動通信交換局と、前記複数の移動機の中で同一加入者に属する複数の移動機をグループ化し、前記グループに係る情報を保持するＨＬＲと、前記ＨＬＲは、前記移動機の移動機番号と、前記移動機の発着信に関する発着信情報とを前記加入者ごとに保持する使用状態記憶手段と、前記グループごとの現在の回線接続数及び前記グループ内の前記移動機が同時に使用できる同時接続数を記憶する回線接続数記憶手段とを有するグループ加入移動機課金システムのグループ加入移動機課金方法において、前記移動通信交換局は、前記無線基地局から前記移動機の発着信を受信したとき、前記移動機番号から前記移動機が属する前記グループに係る情報を保持する前記ＨＬＲを抽出する第１の抽出工程と、前記第１の抽出工程によって抽出された前記ＨＬＲが有する前記回線接続数記憶手段から前記移動機が属する前記グループの現在の回線接続数及び前記同時接続数を読み出す第１の読出工程と、前記第１の読出工程によって読み出された前記回線接続数と前記同時接続数とを比較する第１の比較工程と、前記第１の読出工程によって読み出された前記回線接続数が前記同時接続数以下のときは、発着信に対して回線を接続する回線接続工程と、前記第１の読出工程によって読み出された前記回線接続数が前記同時接続数より大きいとき、発着信に対して回線を切断する回線切断工程と、前記無線基地局から前記移動機の前記同時接続数の変更を要求する接続数変更信号を受信したとき、前記移動機が属する前記グループに係る情報を保持する前記ＨＬＲを抽出する第２の抽出工程と、前記移動機に前記同時接続数の送信を要求する第１の要求工程と、前記第２の抽出工程によって抽出された前記ＨＬＲの前記回線接続数記憶手段から前記移動機が属する前記グループの現在の回線接続数を読み出す第２の読出工程と、前記第２の読出工程によって読み出された前記回線接続数と前記移動機から送信された前記同時接続数とを比較する第２の比較工程と、前記第２の読出工程によって読み出された前記回線接続数が前記移動機から送信された前記同時接続数以下のときは、前記同時接続数の変更を前記ＨＬＲに要求する接続数変更要求工程と、前記ＨＬＲは、前記接続数変更要求工程によって前記同時接続数の変更が要求されたとき、前記回線接続数記憶手段に記憶される前記同時接続数を前記移動機から送信された前記同時接続数に更新する更新工程と、前記更新手段によって前記同時接続数が更新されたとき、前記課金サーバに前記同時接続数が変更された旨を通知する通知工程と、前記課金サーバは、前記通知工程によって前記同時接続数が更新された旨の通知を受けたとき、前記回線接続数記憶手段から前記同時接続数、及び前記使用状態記憶手段から前記発着信情報を取得する取得工程と、前記取得工程によって取得した前記同時接続数及び前記発着信情報に応じて前記加入者に請求する回線使用料を決定する決定工程とを有することを特徴とする。
【００１４】
請求項６記載の発明は、請求項５記載のグループ加入移動機課金方法において、前記発着新情報は、発着信履歴と、前記各発着信履歴に係る接続の可否を示す情報とを有し、前記発着新情報に接続が切断された前記発着信履歴が追記され、かつ前記回線接続記憶手段に記憶される前記回線接続数が前記同時接続数以下になったとき、前記ＨＬＲは、接続が切断された前記発着信履歴に係る前記移動機番号を前記移動通信交換局に通知する工程と、接続が切断された前記発着信履歴に係る前記移動機番号が前記ＨＬＲから通知されたとき、前記ＶＨＲは、前記ＨＬＲから通知された前記移動機番号に対応する前記移動機に回線の使用ができる旨を通知する工程とを有することを特徴とする。
【００１５】
請求項７記載の発明は、請求項５又は６記載のグループ加入移動機課金方法において、前記使用状態記憶手段は、前記加入者を識別する加入者ＩＤと、前記加入者を認証するパスワードとを保持し、前記接続数変更信号を発信した前記移動機に前記無線基地局を介して前記加入者ＩＤ及び前記パスワードの送信を要求する第２の要求工程と、前記第２の抽出工程によって抽出された前記ＨＬＲの前記使用状態記憶手段から前記加入者ＩＤ及び前記パスワードを読み出す第３の読出工程と、前記移動機から送信された前記加入者ＩＤ及び前記パスワードと、前記第３の読出工程によって読み出された前記加入者ＩＤ及び前記パスワードとが一致するか否かを判断する判断工程と、前記移動機から送信された前記加入者ＩＤ及び前記パスワードと、前記第３の読出工程によって読み出された前記加入者ＩＤ及び前記パスワードとが一致したとき、前記第１の要求工程は、前記移動機に前記同時接続数の送信を要求することを特徴とする。
【００１６】
請求項８記載の発明は、請求項７記載のグループ加入移動機課金方法において、前記移動機から送信された前記加入者ＩＤ及び前記パスワードと、前記第３の読出工程によって読み出された前記加入者ＩＤ及び前記パスワードとが一致しなかったとき、又は前記第２の読出工程によって読み出された前記回線接続数が前記移動機から送信された前記同時接続数より大きいとき、前記同時接続数の変更を拒否する拒否工程を有することを特徴とする。
【００１７】
請求項９記載の発明は、複数の移動機と、無線基地局と、前記移動機の発着信を制御する移動通信交換局と、前記複数の移動機の中で同一加入者に属する複数の移動機をグループ化し、前記グループに係る情報を保持するＨＬＲと、前記ＨＬＲは、前記移動機の移動機番号と、前記移動機の発着信に関する発着信情報とを前記加入者ごとに保持する使用状態記憶手段と、前記グループごとの現在の回線接続数及び前記グループ内の前記移動機が同時に使用できる同時接続数を記憶する回線接続数記憶手段とを有するグループ加入移動機課金システムのグループ加入移動機課金プログラムにおいて、前記移動通信交換局は、前記無線基地局から前記移動機の発着信を受信したとき、前記移動機番号から前記移動機が属する前記グループに係る情報を保持する前記ＨＬＲを抽出する第１の抽出処理と、前記第１の抽出処理によって抽出された前記ＨＬＲが有する前記回線接続数記憶手段から前記移動機が属する前記グループの現在の回線接続数及び前記同時接続数を読み出す第１の読出処理と、前記第１の読出処理によって読み出された前記回線接続数と前記同時接続数とを比較する第１の比較処理と、前記第１の読出処理によって読み出された前記回線接続数が前記同時接続数以下のときは、発着信に対して回線を接続する回線接続処理と、前記第１の読出処理によって読み出された前記回線接続数が前記同時接続数より大きいとき、発着信に対して回線を切断する回線切断処理と、前記無線基地局から前記移動機の前記同時接続数の変更を要求する接続数変更信号を受信したとき、前記移動機が属する前記グループに係る情報を保持する前記ＨＬＲを抽出する第２の抽出処理と、前記移動機に前記同時接続数の送信を要求する第１の要求処理と、前記第２の抽出処理によって抽出された前記ＨＬＲの前記回線接続数記憶手段から前記移動機が属する前記グループの現在の回線接続数を読み出す第２の読出処理と、前記第２の読出処理によって読み出された前記回線接続数と前記移動機から送信された前記同時接続数とを比較する第２の比較処理と、前記第２の読出処理によって読み出された前記回線接続数が前記移動機から送信された前記同時接続数以下のときは、前記同時接続数の変更を前記ＨＬＲに要求する接続数変更要求処理と、前記ＨＬＲは、前記接続数変更要求処理によって前記同時接続数の変更が要求されたとき、前記回線接続数記憶手段に記憶される前記同時接続数を前記移動機から送信された前記同時接続数に更新する更新処理と、前記更新処理によって前記同時接続数が更新されたとき、前記課金サーバに前記同時接続数が変更された旨を通知する通知処理と、前記課金サーバは、前記通知処理によって前記同時接続数が更新された旨の通知を受けたとき、前記回線接続数記憶手段から前記同時接続数、及び前記使用状態記憶手段から前記発着信情報を取得する取得処理と、前記取得処理によって取得した前記同時接続数及び前記発着信情報に応じて前記加入者に請求する回線使用料を決定する決定処理とを有することを特徴とする。
【００１８】
請求項１０記載の発明は、請求項９記載のグループ加入移動機課金プログラムにおいて、前記発着新情報は、発着信履歴と、前記各発着信履歴に係る接続の可否を示す情報とを有し、前記発着新情報に接続が切断された前記発着信履歴が追記され、かつ前記回線接続記憶手段に記憶される前記回線接続数が前記同時接続数以下になったとき、前記ＨＬＲは、接続が切断された前記発着信履歴に係る前記移動機番号を前記移動通信交換局に通知する処理と、接続が切断された前記発着信履歴に係る前記移動機番号が前記ＨＬＲから通知されたとき、前記ＶＨＲは、前記ＨＬＲから通知された前記移動機番号に対応する前記移動機に回線の使用ができる旨を通知する処理とを有することを特徴とする。
【００１９】
請求項１１記載の発明は、請求項９又は１０記載のグループ加入移動機課金プログラムおいて、前記使用状態記憶手段は、前記加入者を識別する加入者ＩＤと、前記加入者を認証するパスワードとを有し、前記接続数変更信号を発信した前記移動機に前記無線基地局を介して前記加入者ＩＤ及び前記パスワードの送信を要求する第２の要求処理と、前記第２の抽出処理によって抽出された前記ＨＬＲの前記使用状態記憶手段から前記加入者ＩＤ及び前記パスワードを読み出す第３の読出処理と、前記移動機から送信された前記加入者ＩＤ及び前記パスワードと、前記第３の読出処理によって読み出された前記加入者ＩＤ及び前記パスワードとが一致するか否かを判断する判断処理と、前記移動機から送信された前記加入者ＩＤ及び前記パスワードと、前記第３の読出処理によって読み出された前記加入者ＩＤ及び前記パスワードとが一致したとき、前記第１の要求処理は、前記移動機に前記同時接続数の送信を要求することを特徴とする。
【００２０】
請求項１２記載の発明は、請求項１１記載のグループ加入移動機課金プログラムにおいて、前記移動機から送信された前記加入者ＩＤ及び前記パスワードと、前記第３の読出処理によって読み出された前記加入者ＩＤ及び前記パスワードとが一致しなかったとき、又は前記第２の読出処理によって読み出された前記回線接続数が前記移動機から送信された前記同時接続数より大きいとき、前記同時接続数の変更を拒否する拒否処理を有することを特徴とする。
【発明の効果】
【００２１】
本発明は、同一加入者に属する複数の移動機をグループ化し、加入者が同時に接続することができる移動機の台数を設定可能とし、管理者は同時接続が可能な台数分の料金のみを課金することにより、各加入者が期待するサービスをより加入者の希望に沿った形態で提供することができる。また、加入者に回線の使用料金を請求する課金業者は、加入者が設定した同時接続可能な台数分の使用料金をユーザに請求するため、ユーザは複数の移動機を保有する加入者の移動機の維持費を軽減することができる。
【発明を実施するための最良の形態】
【００２２】
以下に、本発明の一実施形態に係るグループ加入移動機課金システムの構成及び処理について説明する。
【００２３】
図１は、本実施形態に係るグループ加入移動機課金システムの構成を示すブロック図である。
【００２４】
本実施形態に係るグループ加入移動機課金システムは、グループ化された移動機（１から１０）、基地局１１、移動通信交換局（Ｖｉｓｉｔｏｒ  Ｌｏｃａｔｉｏｎ  Ｒｅｓｉｓｔｅｒ）１２、ＨＬＲ（Ｈｏｍｅ  Ｌｏｃａｔｉｏｎ  Ｒｅｓｉｓｔｅｒ）１３、及び課金サーバ１４を有している。
【００２５】
移動機（１から１０）は、それぞれ基地局１１と無線通信を行っている。基地局１１は、移動通信交換局１２と接続されており、移動通信交換局１２は所定地域毎に設けられたＨＬＲ１３に接続されている。
【００２６】
移動通信交換局１２は、呼処理制御、認証位置登録制御、及び無線制御を行い、移動機（１から１０）における発着信の接続を制御する。
【００２７】
基地局１１は、空中線に設定された制御チャネル及び通話チャネルを制御して、移動通信交換局１２と移動機（１から１０）との情報通信を中継する。移動機（１から１０）は、各地に設けられた基地局と移動無線通信が可能なエリアで加入者の通信端末として使用される。
【００２８】
移動機（１から１０）は、５つの回線契約に対して１０の移動機が設定されたグループであって、該グループにおける発着信については５つの移動機として管理される。また、移動機（１から１０）が属するＨＬＲ１３には、移動機（１から１０）の現在の通話チャネルの使用状態が書き込まれる使用状態記憶メモリ、及び移動機（１から１０）の接続状態をモニタする第１から第５のメモリ部を有して構成される。上記使用状態記憶メモリは、移動機（１から１０）のいずれかが発着信により接続されると、第１から第５のメモリ部のいずれかにその旨を記憶する。このとき、接続状態は「空き＝０」、「使用中＝１」で記憶される。さらに、使用状態記憶メモリは、加入者を識別する加入者ＩＤ、同時接続数を変更する際に加入者に要求するパスワード、各移動機固有の番号である移動機番号、各移動機の発着信履歴及び各履歴の通信結果（本実施形態においては、移動機からの発信又は移動機への着信が接続されたか否かを表す情報とする）からなる発着信情報を記憶する。
【００２９】
移動機（１から１０）の発着信時には、移動通信交換局１２が使用状態記憶メモリに格納されている情報を確認し、「０」が記憶されたメモリ部の数だけ発着信における接続を行う。本実施形態においては、移動機（１から１０）の発着信における同時接続は最高５つに制限される。
【００３０】
次に、本実施形態に係るグループ加入移動機課金システムの発着信時の接続について、図４を用いて説明する。
【００３１】
まず、移動機１から発信（移動機番号を含む）があると移動通信交換局１２は基地局１１を介してその発信を受信し（ステップＳ４０１）、移動機番号に基づいて移動機１が属するＨＬＲ１３を割り出す（ステップＳ４０２）。ＨＬＲ１３が割り出されると、移動通信交換局１２はＨＬＲ１３にアクセスし（ステップＳ４０３）、移動機１が属するグループにおける第１から第５のメモリ部の状態を確認する（ステップＳ４０４）。
【００３２】
ここで、第１から第５のメモリ部のいずれかに「０」が記憶されているか否かを判断する（ステップＳ４０５）。第１から第５のメモリ部のいずれかに「０」が記憶されている場合は（ステップＳ４０５／ＹＥＳ）、移動通信交換局１２は移動機１の接続処理を行う（ステップＳ４０６）。移動機１が接続されると、ＨＬＲ１３は使用状態記憶メモリの第１から第５のメモリ部の「０」が記憶されているメモリ部の１つを「０」から「１」に書き換えるとともに、移動機１の使用状態記憶メモリの使用状態情報部を「０」から「１」に書き換える（ステップＳ４０７）。さらに、移動機１の発着信情報として使用状態記憶メモリに記憶される（ステップＳ４０８）。なお、第１から第５のメモリ部のいずれにも「０」が記憶されていない場合は、移動通信交換局１２は移動機１に対して切断処理を行う（ステップＳ４０９）。なお、移動機１からの発信が切断された場合でも、移動機１からの発着信情報として使用状態記憶メモリに記憶される（ステップＳ４０８）。
【００３３】
次に、移動機１による通話が終了したときの処理について図５を用いて説明する。
【００３４】
移動機１の通話が終了すると（ステップＳ５０１）、移動通信交換局１２がその旨をＨＬＲ１３に通知する（ステップＳ５０２）。通知を受けたＨＬＲ１３は、移動機１が属する使用状態記憶メモリの第１から第５のメモリ部の１つ、例えば第１のメモリ部を「１」から「０」に書き換えるとともに、移動機１の使用状態記憶メモリの使用状態情報部を「１」から「０」に書き換える（ステップＳ５０３）。この結果、通信を希望する他の移動機のうちいずれかが発着信可能となる。また、移動機１によって通話が行われている間に発着信情報に切断された発着信履歴を含む発着信情報が追記されていた場合は、該発着信履歴に基づき発着信が切断された移動機に通信可能となった旨を通知する（ステップＳ５０４）。
【００３５】
次に、移動機への着信を受けたときの処理について図６を用いて説明する。
【００３６】
例えば、移動機２への着信を移動通信交換局１２が受けると（ステップＳ６０１）、移動通信交換局１２は移動機２が属するＨＬＲ１３を割り出す（ステップＳ６０２）。ＨＬＲ１３が割り出されると、移動通信交換局１２はＨＬＲ１３にアクセスし（ステップＳ６０３）、移動機２が属するグループの第１から第５のメモリ部の状態を確認する（ステップＳ６０４）。そして、第１から第５のメモリ部のいずれかに「０」が記憶されているか否かを判断する（ステップＳ６０５）。第１から第５のメモリ部のいずれかが「０」となっている場合は（ステップＳ６０５／ＹＥＳ）、移動通信交換局１２は移動機２への接続処理を行う（ステップＳ６０６）。移動機２が接続されると、ＨＬＲ１３は移動機２が属する使用状態記憶メモリの第１から第５のメモリ部のいずれかを「０」から「１」に書き換えるとともに、移動機２の使用状態記憶メモリの使用状態情報部を「０」から「１」に書き換える（ステップＳ６０７）。さらに、移動機２の発着信情報が使用状態記憶メモリに記憶される（ステップＳ６０８）。
【００３７】
なお、第１から第５のメモリ部のいずれにも「０」が記憶されていない場合は（ステップＳ６０５／ＮＯ）、移動通信交換局１２は移動機２への着信を切断する（ステップＳ６０９）。なお、移動機２への着信が切断された場合でも、移動機２の発着信情報が使用状態記憶メモリに記憶される（ステップＳ６０８）。
【００３８】
そして、移動機（１から１０）における通信が終了し、第１から第５のメモリ部のいずれかが「０」と記憶されると、移動通信交換局１２はその旨をＨＬＲ１３に通知する。通知を受けたＨＬＲ１３は、通信が終了した移動機（１から１０）の通信状態を記憶していた第１から第５のメモリ部を「１」から「０」に書き換えるとともに、通信が終了した移動機の使用状態記憶メモリの使用状態情報部を「１」から「０」に書き換える。この結果、通信を希望する他の移動機のうちいずれかが発着信可能となる。そして、移動機（１から１０）への発着信が切断された発着信情報が使用状態記憶メモリに記憶されていた場合は、該発着信情報に基づいて、移動機（１から１０）への発信した移動機、着信を受けた移動機（１から１０）、及び発信を希望する移動機（１から１０）へ通信可能となった旨を通知する。
【００３９】
以上の処理により、移動機（１から１０）の発着信は、使用状態記憶メモリの第１から第５のメモリ部の状態に基づいて、同時接続数が５つに制限される。
【００４０】
次に、同時接続数を変更する動作について、図７を用いて説明する。
【００４１】
まず、加入者によって移動機（１から１０）を利用して同時接続数の変更を要求する信号（以下、接続数変更信号とする）が発信されると（ステップＳ７０１）、移動通信交換局１２は基地局１１を介してその発信を受信し、移動機番号に基づいて信号を発信した移動機が属するＨＬＲ１３を割り出す（ステップＳ７０２）。同時に、移動通信交換局１２は接続数変更信号を発信した移動機（１から１０）に加入者ＩＤ及びパスワードの送信を要求する（ステップＳ７０３）。
【００４２】
ＨＬＲ１３が割り出され、かつ接続数変更信号を発信した移動機（１から１０）から加入者ＩＤ及びパスワードを受信すると、移動通信交換局１２はＨＬＲ１３にアクセスし（ステップＳ７０４）、移動通信交換局１２は使用状態記憶メモリに記憶する加入者ＩＤ及びパスワードと、移動機（１から１０）から受信した加入者ＩＤ及びパスワードとを比較する（ステップＳ７０５）。そして、移動通信交換局１２は、両者が一致しなかった場合は、同時接続数の変更を拒否する（ステップＳ７１１）。一方、両者が一致した場合は（ステプＳ７０５／ＹＥＳ）、移動通信交換局１２は該移動機に希望する同時接続数の送信を要求する（ステップＳ７０６）。そして、移動機から希望する同時接続数を受信すると、移動通信交換局１２は該移動機が属するグループの第１から第５のメモリ部の状態を確認する（ステップＳ７０７）。
【００４３】
ここで、第１から第５のメモリ部のうち「１」が記憶されているメモリ部が、移動機（１から１０）から希望された同時接続数より多いか否かを判断する（ステップ７０８）。第１から第５のメモリ部のうち「１」が記憶されているメモリ部の数が、移動機（１から１０）から希望された同時接続数よりも多いときは（ステップＳ７０８／ＹＥＳ）、移動通信交換局１２は同時接続数の変更を拒否する（ステップＳ７１１）。一方、第１から第５のメモリ部のうち「１」が記憶されているメモリ部の数が、移動機（１から１０）から希望された同時接続数よりも少ないときは（ステップＳ７０８／ＮＯ）、移動通信交換局１２はＨＬＲ１３へメモリ部の数の変更を要求する（ステップＳ７０９）。ＨＬＲ１３は、移動通信交換局１２からメモリ部の数の変更要求を受けると、移動機（１から１０）から希望された同時接続数と同数のメモリ部を設ける（ステップＳ７１０）。
【００４４】
以上の処理により、加入者は必要に応じて同時接続数を変更することができる。また、同時接続数の変更要求を受け付ける際、接続数変更信号を発信した移動機に対して加入者ＩＤ及びパスワードの入力を要求することにより、加入者以外の第三者による無断な同時接続数の変更を防止することができる。
【００４５】
次に、加入者が設定した同時接続数に応じて加入者に回線使用料を請求する課金サーバ１４の動作を説明する。
【００４６】
課金サーバ１４は、使用状態記憶メモリに記憶される加入者ＩＤ、加入者ＩＤごとに分類されたメモリ部の数の変更履歴、及び各変更履歴に対応するメモリ部の数（同時接続数）を記憶する記憶部を有している。
【００４７】
変更履歴は、ＨＬＲ１３において加入者ごとのメモリ部の数が変更されるごとに、ＨＬＲ１３からの通知を受けて記憶部に追記される。課金サーバ１４は、記憶部に格納された変更履歴と該変更履歴に対応する同時接続数に応じて、加入者への回線使用料を決定する。
【００４８】
具体的には、図８に示す以下の処理を経て加入者への回線使用料が決定される。
【００４９】
ＨＬＲ１３は、メモリ部の数が変更すると同時に、課金サーバ１４に対してメモリ部の数の変更処理が行われた旨を通知する（ステップＳ８０１）。その際、ＨＬＲ１３は、メモリ部の数を変更した加入者の加入者ＩＤも課金サーバ１４に通知する。変更処理が行われた旨の通知を受けた課金サーバ１４は、ＨＬＲ１３にアクセスし、通知された加入者ＩＤに基づいて変更後のメモリ部の数に関する情報を取得する（ステップＳ８０２）。変更後のメモリ部の数に関する情報を取得した課金サーバ１４は、加入者ＩＤに分類して、変更履歴とともにメモリ部の数を記憶部に記憶する（ステップＳ８０３）。課金サーバは、変更履歴及び各変更履歴とともに記憶された同時接続数に基づいて、各加入者の回線使用料を決定する（ステップＳ８０４）。
【００５０】
以上の処理を経て各加入者の回線使用料を決定することにより、加入者は実質的に使用している回線数による使用料の請求を受けることができる。
【図面の簡単な説明】
【００５１】
【図１】本実施形態に係るグループ加入移動機課金システムの構成を示すブロック図である。
【図２】ＨＬＲの構成を示すブロック図である。
【図３】課金サーバの構成を示すブロック図である。
【図４】移動機からの発信があった場合のグループ加入移動機課金システムの処理を示すフローチャートである。
【図５】移動機における通話が終了した場合のグループ加入移動機課金システムの処理を示すフローチャートである。
【図６】移動機へ着信があった場合のグループ加入移動機課金システムの処理を示すフローチャートである。
【図７】同時接続数の変更が要求された場合のグループ加入移動機課金システムの処理を示すフローチャートである。
【図８】同時接続数の変更があった場合のグループ加入移動機課金システムの処理を示すフローチャートである。
【符号の説明】
【００５２】
１、２    移動機
１１    基地局
１２    移動通信交換局
１３    ＨＬＲ
１４    課金サーバ
【図１】
2006197511.tif 000003
【図２】
2006197511.tif 000004
【図３】
2006197511.tif 000005
【図４】
2006197511.tif 000006
【図５】
2006197511.tif 000007
【図６】
2006197511.tif 000008
【図７】
2006197511.tif 000009
【図８】
2006197511.tif 000010